(57)【要約】【課題】車載装置において新たに専用の再生機器を追加することなく、複数の配信情報を組み合わせて１つのサービスを享受することができる車載装置および路側装置を得る。【解決手段】この発明に係る路側載装置１は、車載装置２に配信情報および配信情報の再生方法を指定する再生制御情報を送信する送受信手段１０１を備えたものであり、車載装置２は、配信情報および配信情報の再生方法を指定する再生制御情報を路側装置１から受信する送受信手段２０１と、配信情報を再生する複数の再生手段２０５，２０６，２０７と、送受信手段２０１から受信した再生制御情報に基づいて再生手段２０５，２０６，２０７を制御する再生制御手段２０３とを備えたものである。【選択図】図２
2008061183.tif 000002
【特許請求の範囲】
【請求項１】
配信情報および前記配信情報の再生方法を指定する再生制御情報を路側装置から受信する送受信手段と、
前記配信情報を再生する複数の再生手段と、
前記送受信手段から受信した再生制御情報に基づいて前記再生手段を制御する再生制御手段とを備えたことを特徴とする車載装置。
【請求項２】
再生制御情報は、配信情報を同時、連続または単独のいずれの方法で再生するかを示すアプリケーションタイプと、配信情報の種類を示すコンテンツタイプと、配信情報を識別するためプッシュＩＤとを含むことを特徴とする請求項１に記載の車載装置。
【請求項３】
再生制御手段は、同時または連続に再生する全ての配信情報が揃った場合にのみ、配信情報を再生するように前記再生手段を制御することを特徴とする請求項１に記載の車載装置。
【請求項４】
送受信手段は、配信情報を同時、連続または単独のいずれの方法で再生するかを示すアプリケーションタイプおよび前記配信情報の種類を示すコンテンツタイプを路側装置に送信することを特徴とする請求項１に記載の車載装置。
【請求項５】
送受信手段は、再生手段が再生できる再生方法を示した再生制御情報リストおよび前記再生手段が再生できる配信情報の種類を示した再生手段情報を路側装置に送信することを特徴とする請求項１に記載の車載装置。
【請求項６】
再生制御手段は、再生手段が配信情報の再生中に優先度の高い配信情報を受信した場合には、再生情報の再生を中断し、前記優先度の高い配信情報を再生するように前記再生手段を制御することを特徴とする請求項１に記載の車載装置。
【請求項７】
車載装置に配信情報および前記配信情報の再生方法を指定する再生制御情報を送信する送受信手段を備えたことを特徴とする路側装置。
【請求項８】
再生制御情報は、配信情報を同時、連続または単独のいずれの方法で再生するかを示すアプリケーションタイプと、配信情報の種類を示すコンテンツタイプと、配信情報を識別するためプッシュＩＤとを含むことを特徴とする請求項７に記載の路側装置。
【請求項９】
車載装置に送信する配信情報を制御する情報配信制御手段を備え、
送受信手段は、車載装置から配信情報を同時、連続または単独のいずれの方法で再生するかを示すアプリケーションタイプおよび前記配信情報の種類を示すコンテンツタイプを受信し、前記アプリケーションタイプおよび前記コンテンツタイプに前記配信情報を識別するためプッシュＩＤを付加した再生制御情報を前記配信情報とともに車載装置に送信し、
前記情報配信制御手段は、前記アプリケーションタイプおよび前記コンテンツタイプに基づいて配信情報を選択し、前記再生制御情報を作成することを特徴とする請求項７に記載の路側装置。
【請求項１０】
車載装置に送信する配信情報を制御する情報配信制御手段を備え、
送受信手段は、車載装置の有する再生手段が再生できる再生方法を示した再生制御情報リストおよび再生手段が再生できる配信情報の種類を示した再生手段情報を受信し、
前記情報配信制御手段は、前記送受信手段が受信した前記再生制御情報リストおよび前記再生手段情報に基づいて車載装置に送信する配信情報を選択し、再生制御情報を作成することを特徴とする請求項７に記載の路側装置。
【発明の詳細な説明】
【技術分野】
【０００１】
本発明は、路側装置から送信された複数の配信情報を車載装置で組み合わせて再生する技術に関するものである。
【背景技術】
【０００２】
専用狭域無線通信（ＤＳＲＣ：Ｄｅｄｉｃａｔｅｄ  Ｓｈｏｒｔ  Ｒａｎｇｅ  Ｃｏｍｍｕｎｉｃａｔｉｏｎ）とは、通信領域を極めて狭い範囲に限定し、車載装置と路側装置との間で大容量通信を可能にするものである。このＤＳＲＣを利用したサービスの１つとして、路側装置から車載装置に道路情報、災害情報等の緊急情報および広告等の各種情報の提供がある。
このような各種情報を提供する際に、路側装置から車載装置に複数の異なる配信情報を提供する場合があるが、その方法としては、路側装置または車載装置が設定した優先度に基づいて路側装置から車載装置に複数の配信情報を送信するものがある（例えば、特許文献１）。
【０００３】
【特許文献１】特開２００２−２６１６８５号公報（第４頁〜第５頁、図１）
【発明の開示】
【発明が解決しようとする課題】
【０００４】
利用者が、ＤＳＲＣを利用した様々なサービスを享受するためには、車載装置に専用の再生機器を持つ必要があるという問題がある。車載装置に専用の再生機器を持たない場合には、車載装置が持っている再生機器を組み合わせて複数の配信情報を再生することが考えられるが、上記のような従来の路側装置および車載装置においては、複数の配信情報を路側装置から車載装置に送信する順番を決定しているだけで、路側装置から配信された複数の配信情報を車載装置で組み合わせることによって１つのサービスを享受することはできない。
【０００５】
この発明は、上述のような問題を解決するためになされたものであり、車載装置において新たに専用の再生機器を追加することなく、複数の配信情報を組み合わせて１つのサービスを享受することができる車載装置および路側装置を得ることを目的としている。
【課題を解決するための手段】
【０００６】
この発明に係る車載装置は、配信情報および配信情報の再生方法を指定する再生制御情報を路側装置から受信する送受信手段と、配信情報を再生する複数の再生手段と、送受信手段から受信した再生制御情報に基づいて再生手段を制御する再生制御手段とを備えたものである。
【０００７】
また、この発明に係る路側装置は、車載装置に配信情報および配信情報の再生方法を指定する再生制御情報を送信する送受信手段を備えたものである。
【発明の効果】
【０００８】
この発明によれば、路側装置から配信された複数の配信情報を車載装置で組み合わせることができ、組み合わせた複数の配信情報によって１つのサービスを享受することができる。
【発明を実施するための最良の形態】
【０００９】
実施の形態１．
図１は、この発明の実施の形態１によるＤＳＲＣ路車間通信システムの構成を模式的に示す図である。図において、同一の符号を付したものは、同一またはこれに相当するものであり、このことは、明細書の全文において共通することである。
【００１０】
基地局は、路側装置１とアンテナ３とから構成され、路側装置１は、アンテナ３を介して数ｍ〜３０ｍ程度の範囲の通信エリア内で車両４に設置された車載装置２と専用狭域無線通信を行う。路側装置１および車載装置２にはプッシュ型情報アプリケーションが搭載され、路側装置１から車載装置２へ一方的に情報を提供するようなプッシュ型情報配信がされる。
【００１１】
図２は、この発明の実施の形態１による車載装置２の構成を示すブロック図である。
【００１２】
車載装置２は、路側装置１からプッシュ配信された配信情報（コンテンツ）および配信情報の再生方法を指定する再生制御情報を受信するプッシュ型車載送受信手段２０１と、プッシュ型車載送受信手段２０１から送信された配信情報を蓄積する車載配信情報蓄積手段２０２と、車載配信情報蓄積手段２０２に蓄積された配信情報を再生する複数の再生手段と、プッシュ型車載送受信手段２０１が受信した再生制御情報に基づいて各再生手段を制御する再生制御手段２０３と、再生制御情報に基づいて再生方法を判別するための再生制御情報リスト２０３ｂを入力または変更する再生制御情報リスト入力手段２０８とを有している。なお、この実施の形態１に示す車載装置２においては、再生手段として音声を再生する音声再生手段２０５、画像を再生する画像再生手段２０６およびテキストを再生するテキスト再生手段２０７を有している。
【００１３】
再生制御情報には、配信情報を同時、連続または単独のいずれの方法で再生するかを示すアプリケーションタイプと、配信情報の種類を示すコンテンツタイプと、配信情報を識別するためのプッシュＩＤとが含まれる。
例えば、アプリケーションタイプ＝Ｘとは、受信した複数の配信情報を連続で再生することを意味し、アプリケーションタイプ＝Ｙとは、受信した複数の配信情報を同時に再生することを意味し、アプリケーションタイプ＝Ｚとは、受信した１つの配信情報を単独で再生することを意味するとすればよい。表１は、アプリケーションタイプと配信情報の再生方法との関係の一例を示すものである。表１に示すとおり、アプリケーションタイプ＝Ｘ１の場合には、１番目に音声の配信情報を再生し、２番目に画像の配信情報を再生することを意味する。アプリケーションタイプ＝Ｙ１の場合には、音声の配信情報と画像の配信情報とを同時に再生することを意味し、アプリケーションタイプ＝Ｚ１の場合には、音声の配信情報を単独で再生することを意味する。
【００１４】
また、コンテンツタイプとは、配信情報の種類を意味し、配信情報が画像情報の場合には、ＪＰＧ、ＢＭＰ、ＴＩＦ等のことである。
さらに、プッシュＩＤは、配信情報の識別子が含まれ、再生する配信情報の組み合わせを示すものである。ここで、プッシュＩＤの具体例としては、同じプッシュＩＤの配信情報をアプリケーションタイプに基づいて組み合わせて再生するものとする。例えば、車載装置２は、アプリケーションタイプがＸ１でプッシュＩＤが０ｘ００の音声の配信情報とアプリケーションタイプがＸ１でプッシュＩＤが０ｘ００の画像の配信情報とアプリケーションタイプがＸ１でプッシュＩＤが０ｘ０１の画像の配信情報とを受信した場合に、まずアプリケーションタイプがＸ１でプッシュＩＤが０ｘ００の音声の配信情報を再生し、次にアプリケーションタイプがＸ１でプッシュＩＤが０ｘ００の画像の配信情報を再生し、アプリケーションタイプがＸ１でプッシュＩＤが０ｘ０１の画像の配信情報を再生しな
い。
【００１５】
【表１】
2008061183.tif 000003
【００１６】
プッシュ型車載送受信手段２０１は、受信した配信情報を車載配信情報蓄積手段２０２に格納すると共に、配信情報の受信通知および再生制御情報を再生制御手段２０３に送信する。
【００１７】
再生制御手段２０３は、配信情報の受信履歴を示す受信履歴情報２０３ａと、再生制御情報に基づいて再生方法を判別するための再生制御情報リスト２０３ｂと、各再生手段２０５，２０６，２０７が再生することができるコンテンツタイプを示した再生手段情報２０３ｃと、再生要求に関する情報を示す再生要求情報２０３ｄとを有している。受信履歴情報２０３ａは、プッシュ型車載送受信手段２０１から送信された配信情報の受信通知から再生制御手段２０３が作成するものであり、配信情報の受信時刻と車載配信情報蓄積手段２０２での配信情報を蓄積している位置とを示している。また、再生制御情報リスト２０３ｂは、表１に示すアプリケーションタイプと配信情報の再生方法との関係を示すリストであるとともに、配信情報の再生間隔、プッシュ型車載送受信手段２０１が受信した再生制御情報の有効時間も含むものであり、再生制御情報リスト入力手段２０８で入力、変更される。再生手段情報２０３ｃは、再生制御手段２０３が予め保持しているものである。再生要求情報２０３ｄは、再生制御手段２０３が各再生手段２０５，２０６，２０７に送信した再生要求に基づいて再生制御手段２０３が作成するものであり、再生要求を送信した時刻、再生要求を送信した再生手段、再生制御情報等が示されている。なお、配信情報の再生間隔や再生制御情報の有効時間は、アプリケーションタイプやコンテンツタイプに基づいて一定の再生間隔および有効時間を規定してもよいし、配信情報の中に規定しても良い。また、配信情報の再生間隔は、例えば、「前の配信情報の再生開始直後」、「前の配信情報の再生終了後」、「前の配信情報の再生開始時点から所定時間経過後」などと規定すれば良い。再生制御情報の有効時間は、再生制御手段２０３が配信情報の受信通知を取得してから再生制御情報が有効である時間を表すもので、例えば、「所定時間経過後」、「無線接続の切断検出まで」などと規定すれば良い。再生制御情報の有効時間が経過した場合には、再生制御手段２０３は、自身が記憶している再生制御情報および受信履歴情報２０３ａと車載配信情報蓄積手段２０２に蓄積された配信情報とを消去する。なお、再生制御情報リスト２０３ｂは、再生制御情報リスト入力手段２０８で入力、変更できるとしたが、予め保持しているものとしてもよい。
【００１８】
図３は、この発明の実施の形態１による路側装置１の構成を示すブロック図である。
【００１９】
路側装置１は、配信情報および再生制御情報が入力される配信情報入力手段１０４と、配信情報入力手段１０４から送信された配信情報および再生制御情報を蓄積する路側配信情報蓄積手段１０２と、車載装置２に配信情報および再生制御情報をプッシュ配信するプッシュ型路側送受信手段１０１と、プッシュ型路側送受信手段１０１を制御する情報配信制御手段１０３とを有している。プッシュ型路側送受信手段１０１は、車載装置２に配信情報および再生制御情報を配信した配信通知を情報配信制御手段１０３に送信する。情報配信制御手段１０３は、プッシュ型路側送受信手段１０１から送信された配信通知に基づいて、配信情報の履歴を示す配信履歴情報１０３ａを作成し有している。配信履歴情報１０３ａは、プッシュ型路側送受信手段１０１から配信情報を配信した配信時刻と路側配信情報蓄積手段１０２での配信情報を蓄積している位置とを示している。
【００２０】
図４は、この発明の実施の形態１による路側装置１の情報配信制御手段１０３の動作を示すフローチャートである。
【００２１】
図４を用いて、路側装置１の情報配信制御手段１０３の動作を説明する。ここでは、コンテンツタイプがＷＡＶである音声の配信情報とコンテンツタイプがＪＰＧである画像の配信情報とを、アプリケーションタイプがＹ１、プッシュＩＤがともに０ｘ００として同報通信を用いて配信する場合について説明する。
【００２２】
まず、路側装置１の情報配信制御手段１０３は、配信履歴情報１０３ａから配信情報および再生制御情報を前回、配信した時刻（前回配信時刻）を確認する（Ｓ１０１）。次に、前回配信時刻から現在までに所定時間を経過しているかを判断する（Ｓ１０２）。前回配信時刻から現在までに所定時間を経過していない場合には、Ｓ１０１に戻り、前回配信時刻を確認する。前回配信時刻から現在までに所定時間を経過している場合には、配信履歴情報１０３ａおよび路側配信情報蓄積手段１０２から前回配信した配信情報が音声であるかを判断する（Ｓ１０３）。前回配信した配信情報が音声でない場合には、音声の配信情報と再生制御情報とを配信するよう、プッシュ型路側送受信手段１０１を制御する（Ｓ１０４）。前回配信した配信情報が音声である場合には、画像の配信情報と再生制御情報とを配信するよう、プッシュ型路側送受信手段１０１を制御する（Ｓ１０５）。プッシュ型路側送受信手段１０１は、情報配信制御手段１０３の指令に基づいて、配信情報および再生制御情報を車載装置２に配信する。情報配信制御手段１０３は、プッシュ型路側送受信手段１０１から送信された配信通知に基づいて、配信履歴情報１０３ａを更新する（Ｓ１０６）。配信履歴情報１０３ａを更新すると、Ｓ１０１に戻り、前回配信時刻を確認する。
【００２３】
図５は、この発明の実施の形態１による車載装置２の動作を示すフローチャートである。
【００２４】
図５を用いて、車載装置２の動作を説明する。
まず、プッシュ型車載送受信手段２０１が配信情報の受信を待っている（Ｓ２００）。プッシュ型車載送受信手段２０１が配信情報および再生制御情報を受信する（Ｓ２０１）と、配信情報を車載配信情報蓄積手段２０２に蓄積し、配信情報の受信通知と再生制御情報とを再生制御手段２０３に送信する（Ｓ２０２）。配信情報の受信通知と再生制御情報とを受信した再生制御手段２０３は、受信通知から受信履歴情報２０３ａを更新するとともに、受信履歴情報２０３ａと再生制御情報のアプリケーションタイプとから再生する全ての配信情報が揃っているか判断する（Ｓ２０３）。再生する全ての配信情報が揃っていない場合には、Ｓ２００に戻り、配信情報の受信を待つ。再生する全ての配信情報が揃っている場合には、再生制御手段２０３は、再生制御情報のコンテンツタイプと再生手段情報２０３ｃとを比較して、全ての配信情報を再生できるかを判断する（Ｓ２０４）。再生できない配信情報がある場合には、受信履歴情報２０３ａおよび再生制御情報を全て削除するとともに、車載配信情報蓄積手段２０２に蓄積している配信情報を全て削除する（Ｓ２０５）。全ての配信情報を再生できる場合には、再生制御情報のアプリケーションタイプと再生制御情報リスト２０３ｂとに基づいて、対応する各再生手段２０５，２０６，２０７に再生制御情報を含む再生要求を送信し、再生要求に関する情報（再生要求の時刻、送信先の再生手段、再生制御情報などを含む）を再生要求情報２０３ｄに格納する（Ｓ２０６）。再生要求を受信した再生手段２０５，２０６，２０７は、再生要求に基づいて車載配信情報蓄積手段２０２に蓄積されている配信情報を再生し、再生を完了後、再生制御手段２０３に再生完了通知を送信する（Ｓ２０７）。再生制御手段２０３は、再生完了通知を受信した配信情報の受信履歴情報２０３ａ、再生要求情報２０３ｄおよび再生制御情報とを削除するとともに、再生完了通知を受信した配信情報を車載配信情報蓄積手段２０２から削除する（Ｓ２０８）。再生制御手段２０３が全ての配信情報の受信履歴情報２０３ａを削除すると、Ｓ２００に戻り、配信情報の受信を待つ。
【００２５】
図６は、図５のフローチャートをシーケンス図にしたものである。ブロック内に記載した各手段の名称は、ブロックの下方に記載した動作の発動元と発動先とを示すものである。
ここでは、コンテンツタイプがＷＡＶである音声の配信情報ＡとコンテンツタイプがＪＰＧである画像の配信情報ＢとをアプリケーションタイプがＹ１（音声と画像とを同時再生）、プッシュＩＤがともに０ｘ００として、路側装置１から同報通信を用いて配信された場合の車載装置２の動作を説明する。
【００２６】
まず、プッシュ型車載送受信手段２０１が音声の配信情報Ａと再生制御情報とを受信する（Ｓ３０１）。プッシュ型車載送受信手段２０１は、音声の配信情報Ａを車載配信情報蓄積手段２０２に蓄積するとともに、再生制御手段２０３に音声の配信情報Ａの受信通知と再生制御情報とを送信する（Ｓ３０２）。再生制御手段２０３は、受信通知に基づいて受信履歴情報２０３ａを更新するとともに、アプリケーションタイプとプッシュＩＤから全ての配信情報が揃っているかを判断する（Ｓ３０３）。音声の配信情報ＡのプッシュＩＤは０ｘ００であり、受信履歴情報２０３ａからプッシュＩＤが０ｘ００である画像の配信情報をまだ受信していないので、再生制御手段２０３は、全ての配信情報が揃っていないと判断し、配信情報の受信を待つ（Ｓ３０４）。
【００２７】
次に、プッシュ型車載送受信手段２０１が画像の配信情報Ｂと再生制御情報とを受信し（Ｓ３０５）、画像の配信情報Ｂを車載配信情報蓄積手段２０２に蓄積するとともに、再生制御手段２０３に画像の配信情報Ｂの受信通知と再生制御情報とを送信する（Ｓ３０６）。再生制御手段２０３は、受信通知に基づいて受信履歴情報２０３ａを更新するとともに、プッシュＩＤから全ての配信情報が揃っているかを判断する（Ｓ３０７）。画像の配信情報ＢのプッシュＩＤは０ｘ００であり、受信履歴情報２０３ａからプッシュＩＤが０ｘ００である音声の配信情報Ａをすでに受信しているので、再生制御手段２０３は、全ての配信情報が揃っていると判断する。
【００２８】
再生制御手段２０３は、各配信情報のコンテンツタイプ（ＷＡＶ，ＪＰＧ）と再生手段情報２０３ｃとを比較し、全ての配信情報を再生できるかを判断する（Ｓ３０８）。ＷＡＶ，ＪＰＧともに再生でき、アプリケーションタイプがＹ１であるので、再生制御手段２０３は、音声再生手段２０５と画像再生手段２０６とに同時に再生を開始するよう再生要求を送信し（Ｓ３０９）、再生要求に関する情報を再生要求情報２０３ｄに格納する（Ｓ３１０）。再生要求を受信した音声再生手段２０５と画像再生手段２０６とは、車載配信情報蓄積手段２０２からそれぞれ音声の配信情報，画像の配信情報を取り出し、同時に再生を開始する（Ｓ３１１）。音声再生手段２０５と画像再生手段２０６とは、配信情報の再生を完了すると、それぞれ再生完了通知を再生制御手段２０３に送信する（Ｓ３１２）。
【００２９】
再生完了通知を受信した再生制御手段２０３は、再生完了通知を受信した各配信情報の受信履歴情報２０３ａ、再生要求情報２０３ｄおよび再生制御情報を削除するとともに、再生完了通知を受信した各配信情報を車載配信情報蓄積手段２０２から削除する（Ｓ３１３）。
【００３０】
以上のように、実施の形態１に示す路側装置１および車載装置２においては、複数の配信情報とともに、再生制御情報を路側装置１から車載装置２に送信する。そのため、車載装置２が新たに専用の再生機器を追加しなくても、既存の再生手段を用いて同時または連続で複数の配信情報を再生することができ、複数の配信情報を組み合わせて１つのサービスを享受することができる。また、路側装置１は、車載装置２に順不同で複数の配信情報を送信すればよいので、車載装置２の配信情報の受信状況を把握する必要がなく、負荷が低減される。
【００３１】
さらに、車載装置２は、順不同で受信した配信情報を再生制御情報に基づいて路側装置１が指定した順番で組み合わせて再生することができ、路側装置１は、同報通信を用いてサービスを提供できる。このため、路側装置１は、同じ内容で異なるコンテンツタイプの配信情報を巡回して配信することによって、特定のコンテンツタイプの配信情報しか再生できない再生手段を持つ車載装置２に対しても包括したサービスを提供することが可能になる。なお、複数の通信エリアを用意して、個々の通信エリアで異なるコンテンツタイプの配信情報を配信することによって、特定のコンテンツタイプの配信情報しか再生できない再生手段を持つ車載装置２に対してもサービスを提供できるようにしてもよい。
【００３２】
再生制御手段２０３は、再生制御情報で示された全ての配信情報が揃った場合に、各再生手段２０５，２０６，２０７が再生を開始するよう制御される。このため、路側装置１から提供されるサービスを車載装置２で正しく享受することができる。なお、特定のコンテンツタイプの配信情報が配信情報として含まれる場合には、再生制御情報で示された全ての配信情報が揃わなくても受信した配信情報を再生するよう規定しても良い。
【００３３】
また、受信履歴情報２０３ａに記憶された受信情報が無期限に記憶され続けた場合には、他の情報配信サービスと混在して、正しくサービスが提供されない可能性がある。そこで、受信履歴情報２０３ａに記憶された受信情報には、有効期限を設定してもよい。この有効期限は、狭域無線通信を考慮した標準の値が定められているものとし、受信情報は受信履歴情報２０３ａに記憶されてから、有効期限の値を経過した場合には、受信履歴情報２０３ａから削除されるものとする。
【００３４】
さらに、この実施の形態１では、アプリケーションタイプに連続、同時再生する配信情報の数、連続再生する場合の再生順を定義しているが、プッシュＩＤに同時再生する配信情報の数、連続再生する場合の再生順を定義してもよい。
【００３５】
なお、再生手段２０５，２０６，２０７が再生できるアプリケーションタイプまたはコンテンツタイプが１つの場合もあるので、再生制御情報リスト２０３ｂまたは再生手段情報２０３ｃに示されるアプリケーションタイプまたはコンテンツタイプはそれぞれ１つのみの場合もある。
【００３６】
実施の形態２
実施の形態１では、路側装置１は、同報通信を利用して車載装置２に配信情報を送信した。この実施の形態２では、車載装置２は、再生制御情報リスト２０３ｂ、再生手段情報２０３ｃおよび車両４を識別するための車両ＩＤを路側装置１に送信し、路側装置１は、個別通信を利用して車載装置２に配信情報を送信する点で実施の形態１と異なっている。路側装置１および車載装置２の構成は、実施の形態１と同様である。
【００３７】
図７は、この発明の実施の形態２による路側装置１および車載装置２の動作を示すフローチャートである。
図７を用いて、路側装置１および車載装置２の動作を説明する。
まず、車両４が路側装置１の狭域無線通信エリア内に侵入し、路側装置１と車載装置２との狭域無線通信の接続が完了する（Ｓ５０１）。次に、車載装置２のプッシュ型車載送受信手段２０１が路側装置１に再生制御情報リスト２０３ｂ、再生手段情報２０３ｃおよび車両ＩＤを送信する（Ｓ５０２）。路側装置１のプッシュ型路側送受信手段１０１は、車載装置２から送信された再生制御情報リスト２０３ｂ、再生手段情報２０３ｃおよび車両ＩＤを受信し（Ｓ５０３）、再生制御情報リスト２０３ｂおよび再生手段情報２０３ｃを情報配信制御手段１０３に送信する（Ｓ５０４）。
【００３８】
情報配信制御手段１０３は、再生制御情報リスト２０３ｂに基づいて当該車載装置２が複数の配信情報を連続または同時に再生できるかを判断する（Ｓ５０５）。当該車載装置２が複数の配信情報を連続および同時のどちらでも再生できない場合には、情報配信制御手段１０３は、再生手段情報２０３ｃに基づいて当該車載装置２が再生できる種類の配信情報を選択し、この配信情報を単独で再生するよう再生制御情報を作成し、再生制御情報をプッシュ型路側送受信手段１０１に送信する（Ｓ５０６）。プッシュ型路側送受信手段１０１は、配信情報および再生制御情報を受信した車両ＩＤの車載装置２に送信する（Ｓ５１０）。当該車載装置２が複数の配信情報を連続または同時に再生できる場合には、情報配信制御手段１０３は、再生制御情報リスト２０３ｂに基づいて当該車載装置２が複数の配信情報を連続で再生できるかを判断する（Ｓ５０７）。当該車載装置２が複数の配信情報を連続で再生できない場合には、情報配信制御手段１０３は、再生手段情報２０３ｃに基づいて当該車載装置２が再生できる種類の複数の配信情報を選択し、これらの配信情報を同時に再生するよう再生制御情報を作成し、再生制御情報をプッシュ型路側送受信手段１０１に送信する（Ｓ５０８）。プッシュ型路側送受信手段１０１は、複数の配信情報および再生制御情報を受信した車両ＩＤの車載装置２に送信する（Ｓ５１０）。当該車載装置２が複数の配信情報を連続で再生できる場合には、情報配信制御手段１０３は、再生手段情報２０３ｃに基づいて当該車載装置２が再生できる種類の複数の配信情報を選択し、これらの配信情報を連続で再生するよう再生制御情報を作成し、再生制御情報をプッシュ型路側送受信手段１０１に送信する（Ｓ５０９）。プッシュ型路側送受信手段１０１は、複数の配信情報および再生制御情報を受信した車両ＩＤの車載装置２に送信する（Ｓ５１０）。
なお、この実施の形態２に示す個別通信を用いた場合も、車載装置２は、路側装置１から送信された再生制御情報に基づいて配信情報を再生するので、路側装置１は複数の配信情報を順不同に送信すればよい。
【００３９】
以上のように、実施の形態２に示す路側装置１および車載装置２においては、個別通信を用いて個々の車載装置２が再生制御情報リスト２０３ｂ、再生手段情報２０３ｃおよび車両ＩＤを路側装置１に送信し、路側装置１は送信された再生制御情報リスト２０３ｂと再生手段情報２０３ｃとに基づいて個々の車載装置２に再生できる配信情報を再生制御情報とともに送信する。そのため、路側装置１は車載装置２で確実に再生できるサービスを提供できるとともに、車載装置２は路側装置１から確実に再生できるサービスを享受することができる。
【００４０】
なお、この実施の形態２においては、車載装置２は、再生制御情報リスト２０３ｂ、再生手段情報２０３ｃおよび車両４を識別するための車両ＩＤを路側装置１に送信するとしたが、再生手段２０５，２０６，２０７が再生できるアプリケーションタイプまたはコンテンツタイプが１つの場合もあるので、再生制御情報リスト２０３ｂまたは再生手段情報２０３ｃに示されるアプリケーションタイプまたはコンテンツタイプはそれぞれ１つのみの場合もある。
【００４１】
実施の形態３．
複数の配信情報を組み合わせたサービスの場合には、配信情報の再生時間が長くなるので、配信情報の再生中に他の優先度の高い情報や緊急性を有する配信情報を提供する必要が生じる。この実施の形態３では、車載装置２が配信情報を再生中に、再生中の配信情報よりも優先度の高い配信情報を受信した際、再生中の配信情報の再生を中断し、後に受信した優先度の高い配信情報を再生した後、再生を中断した優先度の低い配信情報の再生を再開する割込処理について説明する。
【００４２】
図８は、この発明の実施の形態３による車載装置２の構成を示すブロック図である。
【００４３】
図８に示す車載装置２は、再生制御手段２０３が割込処理履歴情報２０３ｅを有している点で図２に示す車載装置２と異なる。路側装置１の構成は、実施の形態１と同様である。路側装置１は、優先度が高く割込処理をする必要がある配信情報を車載装置２に送信する場合には、アプリケーションタイプをＷとする再生制御情報を送信するものとする。
【００４４】
図９は、この発明の実施の形態３による車載装置２の動作を示すフローチャートである。
【００４５】
図９を用いて、車載装置２の動作を説明する。
まず、車載装置２の再生手段２０５，２０６，２０７が配信情報Ａを再生中である（Ｓ６０１）。なお、再生手段２０５，２０６，２０７が再生を開始するまでの動作は、図６に示すＳ３０１からＳ３１１までと同様の動作である。次に、プッシュ型車載送受信手段２０１が路側装置１から配信情報Ｃおよび再生制御情報を受信し、配信情報を車載配信情報蓄積手段２０２に蓄積し、配信情報の受信通知と再生制御情報とを再生制御手段２０３に送信する（Ｓ６０２）。配信情報の受信通知と再生制御情報を受信した再生制御手段２０３は、再生制御情報のアプリケーションタイプに基づいて割り込み処理が必要な配信情報であるかを判断する（Ｓ６０３）。割り込み処理が必要でない場合（アプリケーションタイプ≠Ｗ）には、Ｓ６０１に戻り、再生手段２０５，２０６，２０７は配信情報の再生を継続する。割り込み処理が必要である場合（アプリケーションタイプ＝Ｗ）には、再生制御手段２０３は、配信情報Ａを再生中の再生手段２０５，２０６，２０７に再生を中断するように再生中断要求を送信し（Ｓ６０４）、配信情報Ａを再生中の再生手段２０５，２０６，２０７に送信した再生要求に関する情報を再生要求情報２０３ｄから割込処理履歴情報２０３ｅに移動する（Ｓ６０５）。再生中断要求を受信した再生手段２０５，２０６，２０７は、配信情報Ａの再生を中断する（Ｓ６０６）。再生制御手段２０３は、コンテンツタイプから判断した割込処理を行う再生手段２０５，２０６，２０７に再生制御情報を含む割込再生要求を送信する（Ｓ６０７）。割込再生要求を受信した再生手段２０５，２０６，２０７は、車載配信情報蓄積手段２０２に蓄積されている配信情報Ｃを再生し、再生完了後、再生完了通知を再生制御手段２０３に送信する（Ｓ６０８）。再生完了通知を受信した再生制御手段２０３は、再生を中断した再生手段２０５，２０６，２０７に再生再開要求を送信し、再生要求に関する情報を割込処理履歴情報２０３ｅから再生要求情報２０３ｄに格納する（Ｓ６０９）。再生再開要求を受信した再生手段２０５，２０６，２０７は、配信情報Ａの再生を再開する（Ｓ６１０）。
【００４６】
なお、Ｓ６０１において、配信情報Ａとは単数であっても複数であってもよく、配信情報Ａを再生中の再生手段２０５，２０６，２０７は、単数であっても複数であってもよい。また、割込処理が必要である配信情報Ｃも単数であっても複数であってもよく、単独、連続、同時のいずれの方法で再生されるものでもよい。例えば、割込処理が必要で、音声の配信情報と画像の配信情報を同時に再生する場合には、配信情報Ｃの再生制御情報のアプリケーションタイプは、同時再生を示すＹ１に割り込み処理を示す識別子Ｗを付加したＹ１Ｗとしてもよい。
【００４７】
図１０は、図９のフローチャートをシーケンス図にしたものである。ブロック内に記載した各手段の名称は、ブロックの下方に記載した黒丸が動作の発動元を示し、矢印の先が発動先とを示すものである。
【００４８】
ここでは、コンテンツタイプがＷＡＶである音声の配信情報ＡとコンテンツタイプがＪＰＧである画像の配信情報Ｂとを同時に再生中に、優先度が高く割込処理の必要があるアプリケーションタイプがＷ、コンテンツタイプがＭＰ３である音声の配信情報Ｃを受信した場合について説明する。
まず、音声再生手段２０５と画像再生手段２０６とは、音声の配信情報Ａと画像の配信情報Ｂとを同時に再生している（Ｓ７０１）。プッシュ型車載送受信手段２０１は、アプリケーションタイプがＷである音声の配信情報Ｃと再生制御情報とを受信し、配信情報Ｃを車載配信情報蓄積手段２０２に蓄積するとともに（Ｓ７０２）、再生制御手段２０３に配信情報の受信通知と再生制御情報とを送信する（Ｓ７０３）。再生制御手段２０３は、再生制御情報のアプリケーションタイプがＷである（Ｓ７０４）ので、音声再生手段２０５および画像再生手段２０６に再生中断要求を送信する（Ｓ７０５）とともに、音声再生手段２０５および画像再生手段２０６に送信した再生要求に関する情報を再生要求情報２０３ｄから割込処理履歴情報２０３ｅに移動する（Ｓ７０６）。再生中断要求を受信した音声再生手段２０５および画像再生手段２０６は、それぞれ音声の配信情報Ａおよび画像の配信情報Ｂの再生を中断する（Ｓ７０７）。再生制御手段２０３は、割込処理を行う音声再生手段２０５に再生制御情報を含む割込再生要求を送信する（Ｓ７０８）。割込再生要求を受信した音声再生手段２０５は、車載配信情報蓄積手段２０２に蓄積されている音声の配信情報Ｃを再生し（Ｓ７０９）、再生完了後、音声の配信情報Ｃの再生完了通知を再生制御手段２０３に送信する（Ｓ７１０）。再生完了通知を受信した再生制御手段２０３は、再生を中断した音声再生手段２０５および画像再生手段２０６に再生再開要求を送信し（Ｓ７１１）、再生要求に関する情報を割込処理履歴情報２０３ｅから再生要求情報２０３ｄに移動する（Ｓ７１２）。再生再開要求を受信した音声再生手段２０５は、音声の配信情報Ａの再生を再開し、画像再生手段２０６は、画像の配信情報Ｂの再生を再開する（Ｓ７１３）。
【００４９】
以上のように、実施の形態３に示す路側装置１および車載装置２においては、配信情報の再生中に他の優先度の高い配信情報が送信された場合にも、再生中の配信情報の再生を中断し、受信した優先度の高い情報を再生した後、中断した配信情報の再生を再開する。そのため、緊急性の高い配信情報を早急に再生することができ、利用者に的確に配信情報を提供することができる。
【００５０】
なお、この実施の形態３に示す路側装置１および車載装置２においては、アプリケーションタイプで割込処理を行うか否か、すなわち、優先度を判断しているが、路側装置１が配信情報に付加する情報配信コマンド毎に優先度を規定して割込処理を行うか否か判断しても良い。
【００５１】
図１１は、プッシュ型情報配信のコマンドごとの優先度の優劣の度合い規定した例である。
【００５２】
プッシュ型情報配信のコマンドには、同報配信コマンド（不特定の相手に放送型の情報配信を行なうコマンド）、応答無し個別配信コマンド（特定の相手のみに情報配信を行ない、相手からの応答を必要としないコマンド）、応答有り個別配信コマンド（特定の相手のみに情報配信を行ない、相手からの応答を必要とするコマンド）、処理の破棄要求コマンド（相手の処理を指定して破棄要求を行なうコマンド）があり、本例では、個別通信を行なうコマンドの方が同報コマンドより優先度が高いものとし、個別の中でも通信相手からの応答を要するコマンドがより優先度が高くなるものとしている。
【００５３】
なお、再生制御手段２０３は、コンテンツタイプを用いて割込再生要求を行なう配信情報の再生手段を判断するとした。例えば、アプリケーションタイプがＷ１の場合には音声再生手段２０５に、アプリケーションタイプがＷ２の場合には画像再生手段２０６に、アプリケーションタイプがＷ３の場合にはテキスト再生手段２０７に、割込再生要求をするとして、再生制御手段２０３は、アプリケーションタイプを用いて割込再生要求を行なう配信情報の再生手段２０５，２０６，２０７を判断しても良い。
【００５４】
実施の形態４
配信情報の配信元が車載装置２において独自の再生方法で配信情報を再生させたい場合がある。この実施の形態４においては、路側装置１は、車載装置２に対して単数または複数の配信情報の再生方法を示す再生制御配信情報を送信し、車載装置２は、送信された再生制御配信情報に示された再生方法で単数または複数の配信情報を再生する。路側装置１および車載装置２の構成は、実施の形態１と同様である。
【００５５】
図１２は、この発明の実施の形態４による再生制御配信情報の一例であり、図１３は、この発明の実施の形態４による車載装置２の動作を示すフローチャートである。
図１２に示す再生制御配信情報には、配信情報の再生方法、再生する配信情報の数、複数の配信情報を連続再生する場合の再生順、複数の配信情報を連続再生する場合の再生間隔、配信情報の構成、配信情報の有効時間および補足情報が示されている。配信情報の再生方法は、アプリケーションタイプを示す記号で示されている。また、再生制御手段２０３で受信した再生制御配信情報の有効時間が過ぎた場合には、有効時間が過ぎた再生制御配信情報を再生制御情報リスト２０３ｂに標準設定されている再生制御情報に置き換えを行なうものとする。さらに、補足情報は、全ての配信情報が揃っていない場合などの処理条件を示すものである。
【００５６】
図１３を用いて、車載装置２の動作を説明する。
まず、路側装置１が車載装置２に再生制御配信情報を送信する。このとき、路側装置１は、再生制御配信情報とともに、配信する情報が再生制御配信情報であることを示したアプリケーションタイプとコンテンツタイプを付加した再生制御情報を車載装置２に送信する。
車載装置２のプッシュ型車載送受信手段２０１は、路側装置１から送信された再生制御配信情報および再生制御情報を受信し（Ｓ８０１）、再生制御配信情報を車載配信情報蓄積装置手段２０２に蓄積するとともに、配信情報の受信通知および再生制御情報を再生制御手段２０３に送信する（Ｓ８０２）。再生制御手段２０３は、受信通知から受信履歴情報２０３ａを更新するとともに、コンテンツタイプから受信した配信情報が再生制御配信情報であるかを判別する（Ｓ８０３）。配信情報が再生制御配信情報ではない場合には、図５に示すＳ２０３に進み、アプリケーションタイプに基づいて配信情報を制御する。配信情報が再生制御配信情報である場合には、再生制御配信情報を再生制御情報リスト２０３ｂに格納するとともに、再生制御配信情報に示された再生方法に従って受信した他の配信情報を再生するように再生手段２０５，２０６，２０７に再生要求を送信し、再生要求に関する情報を再生要求情報２０３ｄに格納する（Ｓ８０４）。その後のＳ８０５、Ｓ８０６の処理は、図５に示すＳ２０７、Ｓ２０８の処理と同様である。
【００５７】
以上のように、実施の形態４に示す路側装置１および車載装置２においては、路側装置
１が車載装置２に配信情報の再生方法を示す再生制御配信情報を送信し、車載装置２の再生制御手段２０３は、再生制御配信情報に示された再生方法に従って他の配信情報を再生するように再生手段を制御する。そのため、配信情報の配信元が車載装置２において独自の再生方法で配信情報を再生することが可能になる。
【図面の簡単な説明】
【００５８】
【図１】この発明の実施の形態１によるＤＳＲＣ路車間通信システムの構成を模式的に示す図である。
【図２】この発明の実施の形態１による車載装置の構成を示すブロック図である。
【図３】この発明の実施の形態１による路側装置の構成を示すブロック図である。
【図４】この発明の実施の形態１による路側装置の動作を示すフローチャート図である。
【図５】この発明の実施の形態１による車載装置の動作を示すフローチャート図である。
【図６】この発明の実施の形態１による車載装置の動作を示すシーケンス図である。
【図７】この発明の実施の形態２によるＤＳＲＣ路車間通信システムの動作を示すフローチャート図である。
【図８】この発明の実施の形態３による車載装置の構成を示すブロック図である。
【図９】この発明の実施の形態３による車載装置の動作を示すフローチャート図である。
【図１０】この発明の実施の形態３による車載装置の動作を示すシーケンス図である。
【図１１】この発明の実施の形態３による配信情報の優先度を示す図である。
【図１２】この発明の実施の形態４による再生制御配信情報の一例を示す図である。
【図１３】この発明の実施の形態４による車載装置の動作を示すフローチャート図である。
【符号の説明】
【００５９】
１  路側装置、２  車載装置、３  アンテナ、４  車両、１０１  プッシュ型路側送受信手段、１０２  路側配信情報蓄積手段、１０３  情報配信制御手段、１０３ａ  配信履歴情報、１０４  配信情報入力手段、２０１  プッシュ型車載送受信手段、２０２  車載配信情報蓄積手段、２０３  再生制御手段、２０３ａ  受信履歴情報、２０３ｂ  再生制御情報リスト、２０３ｃ  再生手段情報、２０３ｄ  再生要求情報、２０３ｅ  割込処理履歴情報、２０５  音声再生手段、２０６  画像再生手段、２０７  テキスト再生手段、２０８  再生制御情報リスト入力手段。
【図１】
2008061183.tif 000004
【図２】
2008061183.tif 000005
【図３】
2008061183.tif 000006
【図４】
2008061183.tif 000007
【図５】
2008061183.tif 000008
【図６】
2008061183.tif 000009
【図７】
2008061183.tif 000010
【図８】
2008061183.tif 000011
【図９】
2008061183.tif 000012
【図１０】
2008061183.tif 000013
【図１１】
2008061183.tif 000014
【図１２】
2008061183.tif 000015
【図１３】
2008061183.tif 000016